(57)【要約】【課題】複数のＨＤ−ＳＤＩ信号に音声信号を多重して伝送する際に、音声信号のチャンネル数が制限されず、また、音声信号を多重する装置及び音声信号を分離する装置を増やす必要がない。【解決手段】多重装置１の移動部１０は、グループ（１）（２）の音声信号が多重されたＨＤ−ＳＤＩ信号１〜４及び音声信号が多重されていないＨＤ−ＳＤＩ信号５〜８を入力し、所定の移動規則に従って、ＨＤ−ＳＤＩ信号１〜４からグループ（２）の音声パケットを抽出して音声信号が多重されていないＨＤ−ＳＤＩ信号５〜８へ移動する。移動部１０は、グループ（１）の音声信号のみが多重されたＨＤ−ＳＤＩ信号１〜４及びグループ（２）の音声信号のみが多重されたＨＤ−ＳＤＩ信号５〜８を生成する。削除部１１は、ＨＤ−ＳＤＩ信号１〜８の補助データ領域内の所定領域を削除し、多重部１２は、ＨＤ−ＳＤＩ信号１〜８を多重し、多重信号を分離装置２へ送信する。【選択図】図１
2016165037.tif 000002
【特許請求の範囲】
【請求項１】
音声信号が多重されたＨＤ−ＳＤＩ信号、及び音声信号が多重されていないＨＤ−ＳＤＩ信号をそれぞれ入力し、これらのＨＤ−ＳＤＩ信号に対し、補助データ領域内の所定領域を削除して多重し、多重信号を生成して送信する多重装置において、
所定の規則に従い、前記音声信号が多重されたＨＤ−ＳＤＩ信号の補助データ領域から前記音声信号の一部を抽出し、前記一部を除く音声信号が多重された第１−１のＨＤ−ＳＤＩ信号を生成すると共に、
前記音声信号の一部を、前記音声信号が多重されていないＨＤ−ＳＤＩ信号へ移動して当該ＨＤ−ＳＤＩ信号の補助データ領域に格納し、前記音声信号の一部が多重された第２−１のＨＤ−ＳＤＩ信号を生成する移動部と、
前記移動部により生成された第１−１のＨＤ−ＳＤＩ信号の補助データ領域内において前記一部を除く音声信号が残るように、かつ、前記移動部により生成された第２−１のＨＤ−ＳＤＩ信号の補助データ領域内において前記音声信号の一部が残るように予め設定された前記所定領域を、前記第１−１のＨＤ−ＳＤＩ信号の補助データ領域から削除し、第１−２のＨＤ−ＳＤＩ信号を生成すると共に、前記所定領域を、第２−１のＨＤ−ＳＤＩ信号の補助データ領域から削除し、第２−２のＨＤ−ＳＤＩ信号を生成する削除部と、
前記削除部により生成された第１−２のＨＤ−ＳＤＩ信号及び第２−２のＨＤ−ＳＤＩ信号を多重し、前記多重信号を生成する多重部と、
を備えたことを特徴とする多重装置。
【請求項２】
請求項１に記載の多重装置において、
前記音声信号をＡＥＳ音声の信号とする、ことを特徴とする多重装置。
【請求項３】
請求項１または２に記載の多重装置において、
前記音声信号が多重されたＨＤ−ＳＤＩ信号の補助データ領域には、８チャンネル分の音声信号のうち４チャンネル分の音声信号が格納された１つまたは２つの第１の音声パケット、及び、前記８チャンネル分の音声信号のうち他の４チャンネル分の音声信号が格納された１つまたは２つの第２の音声パケットが格納されており、前記第１の音声パケット及び前記第２の音声パケットのサイズをそれぞれ３１ワードとした場合に、
前記移動部は、
前記所定の規則に従い、前記音声信号が多重されたＨＤ−ＳＤＩ信号の補助データ領域から前記第２の音声パケットを抽出し、前記第１の音声パケットが多重された第１−１のＨＤ−ＳＤＩ信号を生成すると共に、
前記第２の音声パケットを、前記音声信号が多重されていないＨＤ−ＳＤＩ信号へ移動して当該ＨＤ−ＳＤＩ信号の補助データ領域に格納し、前記第２の音声パケットが多重された第２−１のＨＤ−ＳＤＩ信号を生成し、
前記削除部は、
前記移動部により生成された第１−１のＨＤ−ＳＤＩ信号の補助データ領域内において前記第１の音声パケットが残るように、かつ、前記移動部により生成された第２−１のＨＤ−ＳＤＩ信号の補助データ領域内において前記第２の音声パケットが残るように予め設定された前記所定領域を、前記第１−１のＨＤ−ＳＤＩ信号の補助データ領域から削除し、削除後の前記補助データ領域のサイズを３２ワード以上１２３ワード以下とする第１−２のＨＤ−ＳＤＩ信号を生成し、前記所定領域を、第２−１のＨＤ−ＳＤＩ信号の補助データ領域から削除し、削除後の前記補助データ領域のサイズを前記第１−２のＨＤ−ＳＤＩ信号の補助データ領域と同じとする第２−２のＨＤ−ＳＤＩ信号を生成する、ことを特徴とする多重装置。
【請求項４】
請求項１または２の多重装置により送信された多重信号を受信し、前記多重信号から複数のＨＤ−ＳＤＩ信号を分離する分離装置において、
前記多重信号から、音声信号が多重された第１−２のＨＤ−ＳＤＩ信号及び音声信号が多重された第２−２のＨＤ−ＳＤＩ信号を分離する分離部と、
前記分離部により分離された第１−２のＨＤ−ＳＤＩ信号の補助データ領域に対して所定領域を復元し、第１−１のＨＤ−ＳＤＩ信号を生成し、前記分離部により分離された第２−２のＨＤ−ＳＤＩ信号の補助データ領域に対して前記所定領域を復元し、第２−１のＨＤ−ＳＤＩ信号を生成する復元部と、
所定の規則に従って、前記復元部により生成された第２−１のＨＤ−ＳＤＩ信号の補助データ領域から音声信号を抽出し、前記音声信号を抽出した領域にヌルデータを格納し、音声信号が多重されていない第２−１のＨＤ−ＳＤＩ信号を生成すると共に、
前記抽出した音声信号を、前記復元部により生成された第１−１のＨＤ−ＳＤＩ信号へ移動し、前記第１−１のＨＤ−ＳＤＩ信号の補助データ領域に格納された音声信号及び前記移動してきた音声信号を並び替え、音声信号が多重された第１−１のＨＤ−ＳＤＩ信号を生成する移動部と、
を備えたことを特徴とする分離装置。
【請求項５】
請求項３の多重装置により送信された多重信号を受信し、前記多重信号から複数のＨＤ−ＳＤＩ信号を分離する分離装置において、
前記多重信号から、音声信号が多重された第１−２のＨＤ−ＳＤＩ信号及び音声信号が多重された第２−２のＨＤ−ＳＤＩ信号を分離する分離部と、
前記分離部により分離された第１−２のＨＤ−ＳＤＩ信号における３２ワード以上１２３ワード以下の補助データ領域に対して所定領域を復元し、第１−１のＨＤ−ＳＤＩ信号を生成し、前記分離部により分離された第２−２のＨＤ−ＳＤＩ信号における３２ワード以上１２３ワード以下の補助データ領域に対して前記所定領域を復元し、第２−１のＨＤ−ＳＤＩ信号を生成する復元部と、
所定の規則に従って、前記復元部により生成された第２−１のＨＤ−ＳＤＩ信号の補助データ領域から第２の音声パケットを抽出し、前記音声パケットを抽出した領域にヌルデータを格納し、音声信号が多重されていない第２−１のＨＤ−ＳＤＩ信号を生成すると共に、
前記抽出した第２の音声パケットを、前記復元部により生成された第１−１のＨＤ−ＳＤＩ信号へ移動し、前記第１−１のＨＤ−ＳＤＩ信号の補助データ領域に格納された第１の音声パケット及び前記移動してきた音声パケットを並び替え、音声信号が多重された第１−１のＨＤ−ＳＤＩ信号を生成する移動部と、
を備えたことを特徴とする分離装置。
【請求項６】
ＨＤ−ＳＤＩ信号に音声信号を多重する音声多重装置と、
前記音声多重装置により音声信号が多重されたＨＤ−ＳＤＩ信号、及び音声信号が多重されていないＨＤ−ＳＤＩ信号をそれぞれ入力し、これらのＨＤ−ＳＤＩ信号に対し、補助データ領域内の所定領域を削除して多重し、多重信号を生成して送信する請求項１の多重装置と、
を備えたことを特徴とする多重システム。
【請求項７】
請求項４の分離装置と、
請求項４の分離装置により分離された、音声信号が多重されたＨＤ−ＳＤＩ信号を入力し、前記ＨＤ−ＳＤＩ信号から前記音声信号を分離する音声分離装置と、
を備えたことを特徴とする分離システム。
【請求項８】
音声信号が多重されたＨＤ−ＳＤＩ信号、及び音声信号が多重されていないＨＤ−ＳＤＩ信号をそれぞれ入力し、これらのＨＤ−ＳＤＩ信号に対し、補助データ領域内の所定領域を削除して多重し、多重信号を生成して送信する多重装置に搭載されるチップにおいて、
所定の規則に従い、前記音声信号が多重されたＨＤ−ＳＤＩ信号の補助データ領域から前記音声信号の一部を抽出し、前記一部を除く音声信号が多重された第１−１のＨＤ−ＳＤＩ信号を生成すると共に、
前記音声信号の一部を、前記音声信号が多重されていないＨＤ−ＳＤＩ信号へ移動して当該ＨＤ−ＳＤＩ信号の補助データ領域に格納し、前記音声信号の一部が多重された第２−１のＨＤ−ＳＤＩ信号を生成する移動部と、
前記移動部により生成された第１−１のＨＤ−ＳＤＩ信号の補助データ領域内において前記一部を除く音声信号が残るように、かつ、前記移動部により生成された第２−１のＨＤ−ＳＤＩ信号の補助データ領域内において前記音声信号の一部が残るように予め設定された前記所定領域を、前記第１−１のＨＤ−ＳＤＩ信号の補助データ領域から削除し、第１−２のＨＤ−ＳＤＩ信号を生成すると共に、前記所定領域を、第２−１のＨＤ−ＳＤＩ信号の補助データ領域から削除し、第２−２のＨＤ−ＳＤＩ信号を生成する削除部と、
前記削除部により生成された第１−２のＨＤ−ＳＤＩ信号及び第２−２のＨＤ−ＳＤＩ信号を多重し、前記多重信号を生成する多重部と、
を備えたことを特徴とするチップ。
【請求項９】
請求項１または２の多重装置により送信された多重信号を受信し、前記多重信号から複数のＨＤ−ＳＤＩ信号を分離する分離装置に搭載されるチップにおいて、
前記多重信号から、音声信号が多重された第１−２のＨＤ−ＳＤＩ信号及び音声信号が多重された第２−２のＨＤ−ＳＤＩ信号を分離する分離部と、
前記分離部により分離された第１−２のＨＤ−ＳＤＩ信号の補助データ領域に対して所定領域を復元し、第１−１のＨＤ−ＳＤＩ信号を生成し、前記分離部により分離された第２−２のＨＤ−ＳＤＩ信号の補助データ領域に対して前記所定領域を復元し、第２−１のＨＤ−ＳＤＩ信号を生成する復元部と、
所定の規則に従って、前記復元部により生成された第２−１のＨＤ−ＳＤＩ信号の補助データ領域から音声信号を抽出し、前記音声信号を抽出した領域にヌルデータを格納し、音声信号が多重されていない第２−１のＨＤ−ＳＤＩ信号を生成すると共に、
前記抽出した音声信号を、前記復元部により生成された第１−１のＨＤ−ＳＤＩ信号へ移動し、前記第１−１のＨＤ−ＳＤＩ信号の補助データ領域に格納された音声信号及び前記移動してきた音声信号を並び替え、音声信号が多重された第１−１のＨＤ−ＳＤＩ信号を生成する移動部と、
を備えたことを特徴とするチップ。
【発明の詳細な説明】
【技術分野】
【０００１】
本発明は、超高精細映像及び音響システムにおいて、８Ｋスーパーハイビジョン（ＳＨＶ）等の映像信号に音声信号を多重してデジタル信号を生成し、デジタル信号を複数束ねて伝送する多重装置、分離装置、多重システム、分離システム及びチップに関する。
【背景技術】
【０００２】
従来、ＳＨＶを遠隔地から生中継するために、ＳＨＶの映像信号（ＳＨＶ信号）を非圧縮信号にて長距離伝送する伝送システムが知られている（例えば、非特許文献１を参照）。この伝送システムでは、ＳＨＶ信号は、光ファイバーを介して伝送される。
【０００３】
例えば、ＤＧ方式（Dual Green方式）のＳＨＶ信号を伝送するためには、１６本のＨＤ−ＳＤＩ（High Definition - Serial Digital Interface）信号が必要である。非特許文献１では、ＤＧ方式のＳＨＶ信号を伝送する１６本のＨＤ−ＳＤＩ信号のうち４本のＨＤ−ＳＤＩ信号に対し、ＡＥＳ／ＥＢＵの規格に準じた音声信号が多重される。具体的には、４本のそれぞれのＨＤ−ＳＤＩ信号に対し、８チャンネルの音声信号が多重される。つまり、合計３２チャンネルの音声信号が、ＤＧ方式のＳＨＶ信号を伝送する１６本のＨＤ−ＳＤＩ信号のうち４本のＨＤ−ＳＤＩ信号に多重される。
【０００４】
光ファイバー等の高いビットレートの信号を安定して伝送可能な伝送路では、１６本のＨＤ−ＳＤＩ信号をそのまま伝送することができる。
【０００５】
しかしながら、例えば１２０ＧＨｚ帯無線伝送装置では、複数のＨＤ−ＳＤＩ信号を束ねた信号が、使用する部品の伝送ビットレートの上限を超えてしまうため、そのままでは伝送することができない。そこで、ＨＤ−ＳＤＩ信号に含まれる補助データ領域の一部を削除してビットレートを低減し、その上限を超えないようにすることで、伝送を可能にしている（例えば、非特許文献２を参照）。
【０００６】
ＨＤ−ＳＤＩ信号の補助データ領域には、音声信号が多重されている。このため、補助データ領域の一部を削除してビットレートを低減した場合には、映像信号に一切影響を与えることはないが、音声信号に影響を与えてしまう可能性がある。削除される補助データ領域の一部のデータ量によっては、音声信号も削除されてしまい、音声信号の品質に影響を与えてしまうことがあり得る。
【０００７】
このように、使用する部品の伝送ビットレートの上限を超えないように、ＨＤ−ＳＤＩ信号の補助データ領域の一部を削除する伝送システムにおいては、音声信号を伝送するチャンネル数に制約が生じる場合がある。以下、具体例を示して説明する。
【０００８】
〔伝送システムの概要〕
まず、複数のＨＤ-ＳＤＩ信号を多重して伝送する伝送システムの概要について説明する。図１０は、複数のＨＤ−ＳＤＩ信号を多重して伝送する伝送システムの全体構成を示す概略図である。この伝送システムは、多重装置１０１及び分離装置１０２を備えて構成される。多重装置１０１により生成される多重信号は、伝送路１０３を介して分離装置１０２へ送信される。伝送路１０３は、例えば、光ファイバーを用いた有線伝送路または無線伝送路である。
【０００９】
多重装置１０１は、複数のＨＤ−ＳＤＩ信号を入力し、複数のＨＤ−ＳＤＩ信号を多重して多重信号を生成し、多重信号を、伝送路１０３を介して分離装置１０２へ送信する。ここで、ＨＤ−ＳＤＩ信号は、非特許文献３で規定される信号である。
【００１０】
分離装置１０２は、多重装置１０１から伝送路１０３を介して多重信号を受信し、多重信号から元の複数のＨＤ−ＳＤＩ信号を分離し、複数のＨＤ−ＳＤＩ信号を出力する。
【００１１】
ここで、多重装置１０１が複数のＨＤ−ＳＤＩ信号を多重した多重信号を分離装置１０２へ送信する際に、多重装置１０１に備えた出力Ｉ／Ｆに使用する部品につき上限ビットレートに制限があったり、伝送路１０３の上限ビットレートに制限があったりする。このような上限ビットレートの制限に対応するために、多重装置１０１は、入力したＨＤ−ＳＤＩ信号に含まれる補助データ領域の一部を削除することで、ビットレートを低減する。
【００１２】
通常は、伝送システムにおける動作周波数の管理等を考慮して、多重装置１０１は、全系統のＨＤ−ＳＤＩ信号の補助データ領域につき、一律に同じデータサイズを削除することで、ビットレートを低減する。ある特定の系統のＨＤ−ＳＤＩ信号について、補助データ領域の一部を削除してビットレートを低減する手法もあるが、異なる動作周波数の系統に対する信号処理が煩雑になるため一般的ではない。
【００１３】
図１１は、ＨＤ−ＳＤＩ信号において、音声信号が多重される領域を示す図である。図１１に示すように、音声信号は、ＨＤ−ＳＤＩ信号におけるＣｂ／Ｃｒ（色）データが伝送される色信号部分の補助データ領域に多重され、一部の音声信号は、Ｙ（輝度）データが伝送される輝度信号部分の補助データ領域に多重される。したがって、ＨＤ−ＳＤＩ信号の補助データ領域の一部を削除してビットレートを低減した場合、映像信号には一切影響を与えないが、音声信号に影響を与える可能性がある。
【００１４】
図１２は、図１０に示した伝送システムにおいて、複数の音声信号を多重する伝送システムの全体構成を示す概略図である。この伝送システムは、４台の音声多重装置１１１−１〜１１１−４、多重装置１０１、分離装置１０２及び４台の音声分離装置１１２−１〜１１２−４を備えて構成される。図１２に示すように、合計３２チャンネルの音声信号が、４系統のＨＤ−ＳＤＩ信号の補助データ領域に多重される。つまり、８チャンネルの音声信号が、１系統のＨＤ−ＳＤＩ信号に多重される。
【００１５】
ここで、音声信号は、ＡＥＳ（Audio Engineering Society：オーディオ技術者協会）音声の信号であり、すなわち、ＡＥＳ３−２００３「AES standard for digital audio engineering - Serial transmission format for two-channel linearly represented digital audio data, 2003」の規格で規定されたデジタル音声信号である。
【００１６】
音声多重装置１１１−１は、１系統目のＨＤ−ＳＤＩ信号を入力すると共に、８チャンネル分の音声信号（ＡＥＳサブフレーム）を入力し、ＨＤ−ＳＤＩ信号の補助データ領域に８チャンネル分の音声信号を多重し、音声信号を多重したＨＤ−ＳＤＩ信号を多重装置１０１に出力する。音声多重装置１１１−２，３，４は、２，３，４系統目のＨＤ−ＳＤＩ信号をそれぞれ入力し、音声多重装置１１１−１と同様に、音声信号を多重し、音声信号を多重したＨＤ−ＳＤＩ信号をそれぞれ多重装置１０１に出力する。多重装置１０１及び分離装置１０２は、図１０に示したものと同様である。
【００１７】
音声分離装置１１２−１は、分離装置１０２から１系統目のＨＤ−ＳＤＩ信号を入力し、ＨＤ−ＳＤＩ信号の補助データ領域から８チャンネル分の音声信号を分離し、音声信号が格納された領域にヌルデータを格納し、元のＨＤ−ＳＤＩ信号（音声信号が多重されていないＨＤ−ＳＤＩ信号）を生成する。そして、音声分離装置１１２−１は、８チャンネル分の音声信号を出力すると共に、元のＨＤ−ＳＤＩ信号を出力する。音声分離装置１１２−２，３，４は、分離装置１０２から２，３，４系統目のＨＤ−ＳＤＩ信号をそれぞれ入力し、音声分離装置１１２−１と同様に、８チャンネル分の音声信号を分離し、８チャンネル分の音声信号を出力すると共に、元のＨＤ−ＳＤＩ信号を出力する。
【００１８】
尚、音声分離装置１１２−１〜１１２−４は、ユーザーの選択により、音声信号が格納された領域にヌルデータを格納することなく、音声信号が多重されたＨＤ−ＳＤＩ信号をそのまま出力する場合もある。
【００１９】
図１３は、音声多重装置１１１−１〜１１１−４（総称して音声多重装置１１１という。）、及び音声分離装置１１２−１〜１１２−４（総称して音声分離装置１１２という。）の処理を説明する図である。
【００２０】
前述のとおり、音声多重装置１１１は、１系統のＨＤ−ＳＤＩ信号に８チャンネル分の音声信号を多重し、音声信号を多重したＨＤ−ＳＤＩ信号を出力する。ここで、８チャンネル分の音声信号のうち、第１チャンネルから第４チャンネルまでの音声信号をグループ（１）の音声信号とし、第５チャンネルから第８チャンネルまでの音声信号をグループ（２）の音声信号とする。
【００２１】
音声多重装置１１１は、ＨＤ−ＳＤＩ信号に対し、グループ単位に、１つのグループの音声信号を１つの音声パケットに多重する。具体的には、音声多重装置１１１は、グループ（１）の音声信号を音声パケットの所定領域に格納すると共に、グループ（１）である第１チャンネルから第４チャンネルまでの音声信号が格納されていることを示す（音声パケットの種類を識別するための）識別データ（ＤＩＤ：データＩＤ）を設定して音声パケットの所定領域に格納することで、音声パケットを生成する。また、音声多重装置１１１は、グループ（２）の音声信号を所定領域に格納すると共に、グループ（２）である第５チャンネルから第８チャンネルまでの音声信号が格納されていることを示す識別データを設定して所定領域に格納することで、音声パケットを生成する。
【００２２】
そして、音声多重装置１１１は、ＨＤ−ＳＤＩ信号の補助データ領域に、生成したグループ（１）の音声パケット及びグループ（２）の音声パケットをそれぞれ格納することで、ＨＤ−ＳＤＩ信号に音声信号を多重する。
【００２３】
このように、音声多重装置１１１は、ＨＤ−ＳＤＩ信号に８チャンネル分の音声信号を多重する際に、４チャンネル分の音声信号毎に、当該４チャンネルの音声信号を１つの音声パケットに格納して多重する。４チャンネル分の音声信号とは、ステレオ２チャンネル分、すなわち、ステレオ１（Ｌ・Ｒ）及びステレオ２（Ｌ・Ｒ）である。
【００２４】
前述のとおり、音声分離装置１１２は、１系統のＨＤ−ＳＤＩ信号から８チャンネル分の音声信号を分離する。具体的には、音声分離装置１１２は、ＨＤ−ＳＤＩ信号の補助データ領域から２つの音声パケットを取り出し、音声パケットに格納された識別データ（ＤＩＤ）に基づいて、音声パケットに格納されている音声信号のグループ（１）（２）を特定する。
【００２５】
そして、音声分離装置１１２は、特定したグループ（１）の音声パケットからグループ（１）（第１チャンネルから第４チャンネル）の音声信号を抽出すると共に、特定したグループ（２）の音声パケットからグループ（２）（第５チャンネルから第８チャンネル）の音声信号を抽出する。音声分離装置１１２は、音声パケットが格納されていた領域にヌルデータを格納し、音声信号が多重されていない元のＨＤ−ＳＤＩ信号を生成して出力する。尚、音声分離装置１１２は、ユーザーの選択により、音声信号が格納された領域にヌルデータを格納することなく、音声信号が多重されたＨＤ−ＳＤＩ信号をそのまま出力する場合もある。
【００２６】
このように、音声分離装置１１２は、ＨＤ−ＳＤＩ信号から８チャンネル分の音声信号を分離する際に、４チャンネル分の音声信号毎に、１つの音声パケットを取り出して分離する。
【００２７】
尚、ＨＤ−ＳＤＩ信号に音声信号を多重する手法及び分離する手法の詳細については、非特許文献５を参照されたい。
【００２８】
図１４は、図１０及び図１２に示した多重装置１０１により送信される多重信号のデータ構造を説明する図である。多重信号は、同期信号（ｓｙｎｃ）とＨＤ−ＳＤＩ信号のラインデータとを１組として、これらの信号が時分割で多重された構成になっている。多重信号を構成する同期信号（ｓｙｎｃ）は、多重装置１０１と分離装置１０２とが同期をとるための信号であり、各ＨＤ−ＳＤＩ信号のラインデータの切り替えのタイミングで挿入される。また、多重信号を構成するＨＤ−ＳＤＩ信号のラインデータは、１ライン分の映像信号のデータである。
【００２９】
ここで、図１２に示した伝送システムでは、３２チャンネル分の音声信号について、８チャンネル毎の音声信号が、１系統目から４系統目までのＨＤ−ＳＤＩ信号の補助データ領域に多重される。すなわち、図１４に示すとおり、１系統目から４系統目までのＨＤ−ＳＤＩ信号（ＨＤ−ＳＤＩ信号１〜４）に８チャンネル分の音声信号が含まれており、５系統目から８系統目までのＨＤ−ＳＤＩ信号（ＨＤ−ＳＤＩ信号５〜８）には音声信号が含まれていない。
【００３０】
図１５は、ＨＤ−ＳＤＩ信号に８チャンネル分の音声信号が多重された場合の、ＨＤ−ＳＤＩ信号の１ライン分のデータにおける補助データ領域のデータ構造を示す図である。非特許文献５によれば、音声信号は、ＨＤ−ＳＤＩ信号におけるＣｂ／Ｃｒ（色）データが伝送される色信号部分の補助データ領域に多重され、一部の音声信号は、Ｙ（輝度）データが伝送される輝度信号部分の補助データ領域に多重される。また、非特許文献５で規定されている１つの音声パケットのサイズは、３１ワード（Ｗ）である。１ワードのデータサイズは１０ビットである。
【００３１】
第１チャンネルの音声信号（音声信号１）から第４チャンネルの音声信号（音声信号４）までのグループ（１）の音声信号が格納される音声パケットを音声パケット１、第５チャンネルの音声信号（音声信号５）から第８チャンネルの音声信号（音声信号８）までのグループ（２）の音声信号が格納される音声パケットを音声パケット２とする。
【００３２】
図１５に示すように、ＨＤ−ＳＤＩ信号における映像信号の１ライン毎に用意されている補助データ領域に、１つまたは２つの音声パケット１が格納される。補助データ領域に１つの音声パケット１が格納される場合、その音声パケット１をグループ１の音声パケット１とし、補助データ領域に２つの音声パケット１が格納される場合、それぞれの音声パケット１を、グループ１の音声パケット１及びグループ１’の音声パケット１とする。音声パケット２についても同様に、補助データ領域に１つの音声パケット２が格納される場合、その音声パケット２をグループ２の音声パケット２とし、補助データ領域に２つの音声パケット２が格納される場合、それぞれの音声パケット２を、グループ２の音声パケット２及びグループ２’の音声パケット２とする。
【００３３】
補助データ領域に音声パケット１，２が多重されるパターンとしては、パターン１〜４の４つがある。非特許文献４の既定により、スイッチングライン２本の直後にある２本のラインには、音声信号を多重することができない。そのため、多重されずに溜まっていた音声信号が、直後の映像信号に多重される。このタイミング前後において、音声パケット１，２が多重されるパターンが異なる。
【００３４】
通常の状態では、音声信号はパターン１にて多重される。そして、非特許文献４で規定されるスイッチングライン２本の直後にある２本のラインでは、音声信号は多重されず、その後に、４つの音声パケット１，２を含むパターン４にて多重され、時間の経過と共に、３つの音声パケット１，２を含むパターン２またはパターン３にて多重され、そして、２つの音声パケット１，２を含むパターン１にて多重される。
【００３５】
音声多重装置１１１は、パターン１の多重方式の場合、グループ１の音声信号１〜４を所定領域に格納すると共に、グループ（１）を示すＤＩＤを所定領域に格納して音声パケット１を生成し、グループ２の音声信号５〜８を所定領域に格納すると共に、グループ（２）を示すＤＩＤを所定箇所に格納して音声パケット２を生成する。そして、音声多重装置１１１は、ＨＤ−ＳＤＩ信号の補助データ領域に、グループ１の音声パケット１及びグループ２の音声パケット２をこの順番に格納する。これにより、合計６２ワードの音声パケット１，２がＨＤ−ＳＤＩ信号の補助データ領域に格納され、ＨＤ−ＳＤＩ信号に音声信号が多重される。
【００３６】
音声多重装置１１１は、パターン２の多重方式の場合、グループ１の音声信号１〜４及びグループ（１）のＤＩＤを格納した音声パケット１を生成し、グループ２の音声信号５〜８及びグループ（２）のＤＩＤを格納した音声パケット２を生成し、さらに、グループ１’の音声信号１〜４及びグループ（１）のＤＩＤを格納した音声パケット１を生成する。そして、音声多重装置１１１は、ＨＤ−ＳＤＩ信号の補助データ領域に、グループ１の音声パケット１、グループ２の音声パケット２及びグループ１’の音声パケット１をこの順番に格納する。これにより、合計９３ワードの音声パケット１，２がＨＤ−ＳＤＩ信号の補助データ領域に格納され、ＨＤ−ＳＤＩ信号に音声信号が多重される。
【００３７】
音声多重装置１１１は、パターン３の多重方式の場合、グループ１の音声信号１〜４及びグループ（１）のＤＩＤを格納した音声パケット１を生成し、グループ２の音声信号５〜８及びグループ（２）のＤＩＤを格納した音声パケット２を生成し、さらに、グループ２’の音声信号５〜８及びグループ（２）のＤＩＤを格納した音声パケット２を生成する。そして、音声多重装置１１１は、ＨＤ−ＳＤＩ信号の補助データ領域に、グループ１の音声パケット１、グループ２の音声パケット２及びグループ２’の音声パケット２をこの順番に格納する。これにより、合計９３ワードの音声パケット１，２がＨＤ−ＳＤＩ信号の補助データ領域に格納され、ＨＤ−ＳＤＩ信号に音声信号が多重される。
【００３８】
音声多重装置１１１は、パターン４の多重方式の場合、グループ１の音声信号１〜４及びグループ（１）のＤＩＤを格納した音声パケット１を生成し、グループ２の音声信号５〜８及びグループ（２）のＤＩＤを格納した音声パケット２を生成し、グループ１’の音声信号１〜４及びグループ（１）のＤＩＤを格納した音声パケット１を生成し、さらに、グループ２’の音声信号５〜８及びグループ（２）のＤＩＤを格納した音声パケット２を生成する。そして、音声多重装置１１１は、ＨＤ−ＳＤＩ信号の補助データ領域に、グループ１の音声パケット１、グループ２の音声パケット２、グループ１’の音声パケット１及びグループ２’の音声パケット２をこの順番に格納する。これにより、合計１２４ワードの音声パケット１，２がＨＤ−ＳＤＩ信号の補助データ領域に格納され、ＨＤ−ＳＤＩ信号に音声信号が多重される。
【００３９】
多重される音声信号のデータ量が最大になるのは、パターン４の多重方式の場合である。パターン４の多重方式では、音声パケット１及び音声パケット２がそれぞれ２つ多重され、データ量は１２４ワードである。
【００４０】
音声パケット１，２を多重する順番は、パターン１〜４に示したとおり、グループ（１）の１番目の音声パケット１（グループ１の音声パケット１）、及びグループ（２）の１番目の音声パケット２（グループ２の音声パケット２）を優先し、次に、グループ（１）の２番目の音声パケット１（グループ１’の音声パケット１）、及びグループ（２）の２番目の音声パケット２（グループ２’の音声パケット２）を優先する。
【００４１】
図１６は、ＨＤ−ＳＤＩ信号の補助データ領域を１２０ワードに削減した場合のデータ構造を示す図である。図１２に示した多重装置１０１は、入力した各系統のＨＤ−ＳＤＩ信号の補助データ領域について、その一部を削除する。具体的には、多重装置１０１は、ＨＤ−ＳＤＩ信号の補助データ領域内の１４８ワードを削除することで、２６８ワードを１２０ワードに削減し、１２０ワードの補助データ領域に縮小したＨＤ−ＳＤＩ信号を生成して送信する。これにより、多重装置１０１の出力Ｉ／Ｆに使用する部品の上限ビットレート、または伝送路１０３の上限ビットレートの制限に対応するために、ＨＤ−ＳＤＩ信号のビットレートを低減することができる。
【００４２】
ここで、図１５に示したパターン１〜３の多重方式の場合、多重対象の音声信号はそれぞれ６２ワード、９３ワード、９３ワードであり、このサイズは補助データ領域のサイズである１２０ワード以下である。このため、多重対象の全ての音声信号、すなわち８チャンネル分の音声信号を伝送することができる。しかし、パターン４の多重方式の場合、多重対象の音声信号は１２４ワードであり、このサイズは補助データ領域のサイズである１２０ワードを超える。このため、多重対象の全ての音声信号のうち、グループ（２）の２番目の音声パケット２（グループ２’の音声パケット２）を伝送することができない。
【００４３】
つまり、図１６に示すように、ＨＤ−ＳＤＩ信号の補助データ領域が１２０ワードに削減された場合、１系統のＨＤ−ＳＤＩ信号につき、グループ（１）（２）の音声信号１〜８である８チャンネル分の音声信号を伝送することができず、グループ（１）の音声信号１〜４である４チャンネル分の音声信号しか伝送することができない。
【００４４】
このように、ＨＤ−ＳＤＩ信号の補助データ領域が削減されると、ＨＤ−ＳＤＩ信号に多重可能な音声信号のチャンネル数が制限されてしまう。図１５及び図１６に示した例では、ＨＤ−ＳＤＩ信号の補助データ領域を１２０ワードに削減した場合、伝送可能な音声信号のチャンネル数は、４チャンネルが最大となる。
【００４５】
図１７は、ＨＤ−ＳＤＩ信号に３２チャンネル分の音声信号を多重して伝送する伝送システムにおいて、ＨＤ−ＳＤＩ信号の補助データ領域を１２０ワードに削減した場合の全体構成を示す概略図である。
【００４６】
この伝送システムは、８台の音声多重装置１１３−１〜１１３−８（総称して音声多重装置１１３という。）、多重装置１０１、分離装置１０２及び８台の音声分離装置１１４−１〜１１４−８（総称して音声分離装置１１４という。）を備えて構成される。この伝送システムでは、図１５及び図１６に示したとおり、１系統のＨＤ−ＳＤＩ信号あたり４チャンネル分の音声信号しか伝送できない。このため、８台の音声多重装置１１３及び８台の音声分離装置１１４が必要となる。図１２に示した伝送システムは、４台の音声多重装置１１１及び４台の音声分離装置１１２を備えて構成される。
【００４７】
したがって、ＨＤ−ＳＤＩ信号の補助データ領域を削減する伝送システムにおいて、多重可能な音声信号のチャンネル数が制限されないように、ＨＤ−ＳＤＩ信号に３２チャンネル分の音声信号を多重して伝送するためには、図１７に示した伝送システムの構成のとおり、図１２に示した伝送システムよりも、２倍の台数の音声多重装置及び音声分離装置が必要となる。
【先行技術文献】
【非特許文献】
【００４８】
【非特許文献１】映像情報メディア学会誌、「鴨川ＳＨＶ生中継の音声中継制作と光ファイバによる非圧縮素材伝送」、Vol.61、No.5、pp.603〜607（2007）
【非特許文献２】映像情報メディア学会年次大会講演予稿集（2012）、「ＳＨＶ伝送用１２０ＧＨｚ帯ＦＰＵの検討」、20-2、2012-08-29
【非特許文献３】社団法人電波産業会、「１１２５／６０方式ＨＤＴＶ信号のビット直列インタフェース規格」、ＢＴＡ  Ｓ−００４Ｃ
【非特許文献４】社団法人電波産業会、「１１２５／６０方式ＨＤＴＶビット直列インタフェースにおける補助データの共通規格」、ＢＴＡ  Ｓ−００５Ｃ
【非特許文献５】社団法人電波産業会、「１１２５／６０方式ＨＤＴＶビット直列インタフェースにおけるデジタル音声規格」、ＢＴＡ  Ｓ−００６Ｃ
【発明の概要】
【発明が解決しようとする課題】
【００４９】
前述のとおり、従来の伝送システムでは、多重装置１０１が複数のＨＤ−ＳＤＩ信号を多重した多重信号を分離装置１０２へ送信する際に、多重装置１０１に備えた出力Ｉ／Ｆに使用する部品につき上限ビットレートの制限、または伝送路１０３の上限ビットレートの制限によって、多重信号のビットレートが制限される場合がある。これに対応するために、多重装置１０１は、入力したＨＤ−ＳＤＩ信号に含まれる補助データ領域の一部を削除することで、多重信号のビットレートを低減する。
【００５０】
しかしながら、多重装置１０１が、ＨＤ−ＳＤＩ信号の補助データ領域を削減する場合、必要な全てのチャンネルの音声信号をＨＤ−ＳＤＩ信号に多重できないことがある。つまり、従来の伝送システムでは、ＨＤ−ＳＤＩ信号に多重可能な音声信号のチャンネル数が制限されてしまう場合があるという問題があった。
【００５１】
この問題を解決するために、ＨＤ−ＳＤＩ信号に音声信号を多重する音声多重装置１１３、及び、ＨＤ−ＳＤＩ信号から音声信号を分離する音声分離装置１１４の台数を増やして対応することは可能であるが、コストが高くなるという問題があった。
【００５２】
そこで、本発明は前記課題を解決するためになされたものであり、その目的は、複数のＨＤ−ＳＤＩ信号に音声信号を多重して伝送する際に、音声信号のチャンネル数が制限されず、かつ、音声信号を多重する装置及び音声信号を分離する装置を増やす必要のない多重装置、分離装置、多重システム、分離システム及びチップを提供することにある。
【課題を解決するための手段】
【００５３】
前記課題を解決するために、請求項１の多重装置は、音声信号が多重されたＨＤ−ＳＤＩ信号、及び音声信号が多重されていないＨＤ−ＳＤＩ信号をそれぞれ入力し、これらのＨＤ−ＳＤＩ信号に対し、補助データ領域内の所定領域を削除して多重し、多重信号を生成して送信する多重装置において、所定の規則に従い、前記音声信号が多重されたＨＤ−ＳＤＩ信号の補助データ領域から前記音声信号の一部を抽出し、前記一部を除く音声信号が多重された第１−１のＨＤ−ＳＤＩ信号を生成すると共に、前記音声信号の一部を、前記音声信号が多重されていないＨＤ−ＳＤＩ信号へ移動して当該ＨＤ−ＳＤＩ信号の補助データ領域に格納し、前記音声信号の一部が多重された第２−１のＨＤ−ＳＤＩ信号を生成する移動部と、前記移動部により生成された第１−１のＨＤ−ＳＤＩ信号の補助データ領域内において前記一部を除く音声信号が残るように、かつ、前記移動部により生成された第２−１のＨＤ−ＳＤＩ信号の補助データ領域内において前記音声信号の一部が残るように予め設定された前記所定領域を、前記第１−１のＨＤ−ＳＤＩ信号の補助データ領域から削除し、第１−２のＨＤ−ＳＤＩ信号を生成すると共に、前記所定領域を、第２−１のＨＤ−ＳＤＩ信号の補助データ領域から削除し、第２−２のＨＤ−ＳＤＩ信号を生成する削除部と、前記削除部により生成された第１−２のＨＤ−ＳＤＩ信号及び第２−２のＨＤ−ＳＤＩ信号を多重し、前記多重信号を生成する多重部と、を備えたことを特徴とする。
【００５４】
また、請求項２の多重装置は、請求項１に記載の多重装置において、前記音声信号をＡＥＳ音声の信号とする、ことを特徴とする。
【００５５】
また、請求項３の多重装置は、請求項１または２に記載の多重装置において、前記音声信号が多重されたＨＤ−ＳＤＩ信号の補助データ領域には、８チャンネル分の音声信号のうち４チャンネル分の音声信号が格納された１つまたは２つの第１の音声パケット、及び、前記８チャンネル分の音声信号のうち他の４チャンネル分の音声信号が格納された１つまたは２つの第２の音声パケットが格納されており、前記第１の音声パケット及び前記第２の音声パケットのサイズをそれぞれ３１ワードとした場合に、前記移動部が、前記所定の規則に従い、前記音声信号が多重されたＨＤ−ＳＤＩ信号の補助データ領域から前記第２の音声パケットを抽出し、前記第１の音声パケットが多重された第１−１のＨＤ−ＳＤＩ信号を生成すると共に、前記第２の音声パケットを、前記音声信号が多重されていないＨＤ−ＳＤＩ信号へ移動して当該ＨＤ−ＳＤＩ信号の補助データ領域に格納し、前記第２の音声パケットが多重された第２−１のＨＤ−ＳＤＩ信号を生成し、前記削除部が、前記移動部により生成された第１−１のＨＤ−ＳＤＩ信号の補助データ領域内において前記第１の音声パケットが残るように、かつ、前記移動部により生成された第２−１のＨＤ−ＳＤＩ信号の補助データ領域内において前記第２の音声パケットが残るように予め設定された前記所定領域を、前記第１−１のＨＤ−ＳＤＩ信号の補助データ領域から削除し、削除後の前記補助データ領域のサイズを３２ワード以上１２３ワード以下とする第１−２のＨＤ−ＳＤＩ信号を生成し、前記所定領域を、第２−１のＨＤ−ＳＤＩ信号の補助データ領域から削除し、削除後の前記補助データ領域のサイズを前記第１−２のＨＤ−ＳＤＩ信号の補助データ領域と同じとする第２−２のＨＤ−ＳＤＩ信号を生成する、ことを特徴とする。
【００５６】
さらに、請求項４の分離装置は、請求項１または２の多重装置により送信された多重信号を受信し、前記多重信号から複数のＨＤ−ＳＤＩ信号を分離する分離装置において、前記多重信号から、音声信号が多重された第１−２のＨＤ−ＳＤＩ信号及び音声信号が多重された第２−２のＨＤ−ＳＤＩ信号を分離する分離部と、前記分離部により分離された第１−２のＨＤ−ＳＤＩ信号の補助データ領域に対して所定領域を復元し、第１−１のＨＤ−ＳＤＩ信号を生成し、前記分離部により分離された第２−２のＨＤ−ＳＤＩ信号の補助データ領域に対して前記所定領域を復元し、第２−１のＨＤ−ＳＤＩ信号を生成する復元部と、所定の規則に従って、前記復元部により生成された第２−１のＨＤ−ＳＤＩ信号の補助データ領域から音声信号を抽出し、前記音声信号を抽出した領域にヌルデータを格納し、音声信号が多重されていない第２−１のＨＤ−ＳＤＩ信号を生成すると共に、前記抽出した音声信号を、前記復元部により生成された第１−１のＨＤ−ＳＤＩ信号へ移動し、前記第１−１のＨＤ−ＳＤＩ信号の補助データ領域に格納された音声信号及び前記移動してきた音声信号を並び替え、音声信号が多重された第１−１のＨＤ−ＳＤＩ信号を生成する移動部と、を備えたことを特徴とする。
【００５７】
また、請求項５の分離装置は、請求項３の多重装置により送信された多重信号を受信し、前記多重信号から複数のＨＤ−ＳＤＩ信号を分離する分離装置において、前記多重信号から、音声信号が多重された第１−２のＨＤ−ＳＤＩ信号及び音声信号が多重された第２−２のＨＤ−ＳＤＩ信号を分離する分離部と、前記分離部により分離された第１−２のＨＤ−ＳＤＩ信号における３２ワード以上１２３ワード以下の補助データ領域に対して所定領域を復元し、第１−１のＨＤ−ＳＤＩ信号を生成し、前記分離部により分離された第２−２のＨＤ−ＳＤＩ信号における３２ワード以上１２３ワード以下の補助データ領域に対して前記所定領域を復元し、第２−１のＨＤ−ＳＤＩ信号を生成する復元部と、所定の規則に従って、前記復元部により生成された第２−１のＨＤ−ＳＤＩ信号の補助データ領域から第２の音声パケットを抽出し、前記音声パケットを抽出した領域にヌルデータを格納し、音声信号が多重されていない第２−１のＨＤ−ＳＤＩ信号を生成すると共に、前記抽出した第２の音声パケットを、前記復元部により生成された第１−１のＨＤ−ＳＤＩ信号へ移動し、前記第１−１のＨＤ−ＳＤＩ信号の補助データ領域に格納された第１の音声パケット及び前記移動してきた音声パケットを並び替え、音声信号が多重された第１−１のＨＤ−ＳＤＩ信号を生成する移動部と、を備えたことを特徴とする。
【００５８】
さらに、請求項６の多重システムは、ＨＤ−ＳＤＩ信号に音声信号を多重する音声多重装置と、前記音声多重装置により音声信号が多重されたＨＤ−ＳＤＩ信号、及び音声信号が多重されていないＨＤ−ＳＤＩ信号をそれぞれ入力し、これらのＨＤ−ＳＤＩ信号に対し、補助データ領域内の所定領域を削除して多重し、多重信号を生成して送信する請求項１の多重装置と、を備えたことを特徴とする。
【００５９】
さらに、請求項７の分離システムは、請求項４の分離装置と、請求項４の分離装置により分離された、音声信号が多重されたＨＤ−ＳＤＩ信号を入力し、前記ＨＤ−ＳＤＩ信号から前記音声信号を分離する音声分離装置と、を備えたことを特徴とする。
【００６０】
さらに、請求項８のチップは、音声信号が多重されたＨＤ−ＳＤＩ信号、及び音声信号が多重されていないＨＤ−ＳＤＩ信号をそれぞれ入力し、これらのＨＤ−ＳＤＩ信号に対し、補助データ領域内の所定領域を削除して多重し、多重信号を生成して送信する多重装置に搭載されるチップにおいて、所定の規則に従い、前記音声信号が多重されたＨＤ−ＳＤＩ信号の補助データ領域から前記音声信号の一部を抽出し、前記一部を除く音声信号が多重された第１−１のＨＤ−ＳＤＩ信号を生成すると共に、前記音声信号の一部を、前記音声信号が多重されていないＨＤ−ＳＤＩ信号へ移動して当該ＨＤ−ＳＤＩ信号の補助データ領域に格納し、前記音声信号の一部が多重された第２−１のＨＤ−ＳＤＩ信号を生成する移動部と、前記移動部により生成された第１−１のＨＤ−ＳＤＩ信号の補助データ領域内において前記一部を除く音声信号が残るように、かつ、前記移動部により生成された第２−１のＨＤ−ＳＤＩ信号の補助データ領域内において前記音声信号の一部が残るように予め設定された前記所定領域を、前記第１−１のＨＤ−ＳＤＩ信号の補助データ領域から削除し、第１−２のＨＤ−ＳＤＩ信号を生成すると共に、前記所定領域を、第２−１のＨＤ−ＳＤＩ信号の補助データ領域から削除し、第２−２のＨＤ−ＳＤＩ信号を生成する削除部と、前記削除部により生成された第１−２のＨＤ−ＳＤＩ信号及び第２−２のＨＤ−ＳＤＩ信号を多重し、前記多重信号を生成する多重部と、を備えたことを特徴とする。
【００６１】
また、請求項９のチップは、請求項１または２の多重装置により送信された多重信号を受信し、前記多重信号から複数のＨＤ−ＳＤＩ信号を分離する分離装置に搭載されるチップにおいて、前記多重信号から、音声信号が多重された第１−２のＨＤ−ＳＤＩ信号及び音声信号が多重された第２−２のＨＤ−ＳＤＩ信号を分離する分離部と、前記分離部により分離された第１−２のＨＤ−ＳＤＩ信号の補助データ領域に対して所定領域を復元し、第１−１のＨＤ−ＳＤＩ信号を生成し、前記分離部により分離された第２−２のＨＤ−ＳＤＩ信号の補助データ領域に対して前記所定領域を復元し、第２−１のＨＤ−ＳＤＩ信号を生成する復元部と、所定の規則に従って、前記復元部により生成された第２−１のＨＤ−ＳＤＩ信号の補助データ領域から音声信号を抽出し、前記音声信号を抽出した領域にヌルデータを格納し、音声信号が多重されていない第２−１のＨＤ−ＳＤＩ信号を生成すると共に、前記抽出した音声信号を、前記復元部により生成された第１−１のＨＤ−ＳＤＩ信号へ移動し、前記第１−１のＨＤ−ＳＤＩ信号の補助データ領域に格納された音声信号及び前記移動してきた音声信号を並び替え、音声信号が多重された第１−１のＨＤ−ＳＤＩ信号を生成する移動部と、を備えたことを特徴とする。
【発明の効果】
【００６２】
以上のように、本発明によれば、複数のＨＤ−ＳＤＩ信号に音声信号を多重して伝送する際に、音声信号のチャンネル数が制限されることがない。また、音声信号を多重する装置及び音声信号を分離する装置を増やす必要がない。
【図面の簡単な説明】
【００６３】
【図１】本発明の実施形態による多重装置を含む送信側の多重システムの構成を示すブロック図である。
【図２】多重装置の移動部の処理を説明する図である。
【図３】多重装置の移動部の処理を示すフローチャートである。
【図４】多重装置の移動部の処理による音声信号の振り分け動作を説明する図である。
【図５】本発明の実施形態による分離装置を含む受信側の分離システムの構成を示すブロック図である。
【図６】分離装置の移動部の処理を示すフローチャートである。
【図７】分離装置の移動部の処理による音声信号の復元動作を説明する図である。
【図８】ＤＧ方式のＳＨＶ信号を伝送する伝送システムの全体構成を示す概略図である。
【図９】複数の音声信号を多重してＤＧ方式のＳＨＶ信号を伝送する伝送システムの全体構成を示す概略図である。
【図１０】複数のＨＤ−ＳＤＩ信号を多重して伝送する伝送システムの全体構成を示す概略図である。
【図１１】ＨＤ−ＳＤＩ信号において、音声信号が多重される領域を示す図である。
【図１２】複数の音声信号を多重する伝送システムの全体構成を示す概略図である。
【図１３】音声多重装置及び音声分離装置の処理を説明する図である。
【図１４】多重装置により送信される多重信号のデータ構造を説明する図である。
【図１５】ＨＤ−ＳＤＩ信号に８チャンネル分の音声信号が多重された場合の、ＨＤ−ＳＤＩ信号の１ライン分のデータにおける補助データ領域のデータ構造を示す図である。
【図１６】ＨＤ−ＳＤＩ信号の補助データ領域を１２０ワードに削減した場合のデータ構造を示す図である。
【図１７】ＨＤ−ＳＤＩ信号に３２チャンネル分の音声信号を多重して伝送する伝送システムにおいて、ＨＤ−ＳＤＩ信号の補助データ領域を１２０ワードに削減した場合の全体構成を示す概略図である。
【発明を実施するための形態】
【００６４】
以下、本発明を実施するための形態について図面を用いて詳細に説明する。本発明は、複数のＨＤ−ＳＤＩ信号に音声信号を多重して伝送する際に、音声信号が多重されているＨＤ−ＳＤＩ信号の補助データ領域の削減に伴い、音声信号の一部を伝送できない場合、その音声信号の一部を、音声信号が多重されていないＨＤ−ＳＤＩ信号へ移動して伝送することを特徴とする。
【００６５】
これにより、複数のＨＤ−ＳＤＩ信号に多重される全ての音声信号を伝送することができるから、音声信号のチャンネル数が制限されることがない。また、複数のＨＤ−ＳＤＩ信号に多重される全ての音声信号を伝送するために、図１７に示した伝送システムのように構成する必要がない。つまり、送信側では、音声信号を多重する装置を全系統に設ける必要がなく、受信側では、音声信号を分離する装置を全系統に設ける必要がないから、これらの装置を増やす必要がなく、コストを抑えることができる。
【００６６】
〔送信側の多重システム〕
まず、送信側の多重システムについて説明する。図１は、本発明の実施形態による多重装置を含む送信側の多重システムの構成を示すブロック図である。この多重システムは、４台の音声多重装置１１１−１〜１１１−４及び多重装置１を備えて構成され、８系統のＨＤ−ＳＤＩ信号に３２チャンネルの音声信号を多重して伝送する。
【００６７】
音声多重装置１１１−１〜１１１−４は、８系統のＨＤ−ＳＤＩ信号のうち、第１系統〜第４系統にそれぞれ設けられている。音声多重装置１１１−１〜１１１−４は、図１２及び図１３にて説明したとおり、ＨＤ−ＳＤＩ信号をそれぞれ入力し、ＨＤ−ＳＤＩ信号の補助データ領域に音声信号の音声パケットを格納することで、ＨＤ−ＳＤＩ信号に音声信号を多重する。そして、音声多重装置１１１−１〜１１１−４は、音声信号を多重したＨＤ−ＳＤＩ信号を多重装置１に出力する。
【００６８】
尚、音声多重装置１１１−１〜１１１−４は、図１２及び図１３にて既に説明済みであるから、ここでは詳細な説明を省略する。
【００６９】
多重装置１は、移動部１０、削除部１１及び多重部１２を備えている。移動部１０は、８系統のＨＤ−ＳＤＩ信号１〜８（音声信号が多重されたＨＤ−ＳＤＩ信号１〜４及び音声信号が多重されていないＨＤ−ＳＤＩ信号５〜８）を入力する。そして、移動部１０は、所定の移動規則に従って、音声信号が多重された系統について、ＨＤ−ＳＤＩ信号１〜４に多重された音声信号の一部を、音声信号が多重されていないＨＤ−ＳＤＩ信号５〜８へ移動し、音声信号が多重されていない系統について、ＨＤ−ＳＤＩ信号５〜８に対し、移動してきた一部の音声信号を多重する。移動部１０は、移動等の処理後のＨＤ−ＳＤＩ信号１〜８を削除部１１に出力する。
【００７０】
削除部１１は、移動部１０からＨＤ−ＳＤＩ信号１〜８を入力し、ＨＤ−ＳＤＩ信号１〜８について、補助データ領域内の所定領域（多重された音声信号が残るように予め設定された領域）を削除して補助データ領域を削減する。つまり、ＨＤ−ＳＤＩ信号１〜４では、多重された音声信号、すなわち音声信号の一部をＨＤ−ＳＤＩ信号５〜８へ移動した後の音声信号（移動した一部を除く音声信号）が残るように、ＨＤ−ＳＤＩ信号５〜８では、多重された音声信号、すなわちＨＤ−ＳＤＩ信号１〜４から移動してきた一部の音声信号が残るように、所定領域が設定される。そして、削除部１１は、ＨＤ−ＳＤＩ信号１〜８の補助データ領域内の所定領域を削除したＨＤ−ＳＤＩ信号１〜８を生成し、これらのＨＤ−ＳＤＩ信号１〜８を多重部１２に出力する。
【００７１】
多重部１２は、削除部１１からＨＤ−ＳＤＩ信号１〜８を入力し、これらのＨＤ−ＳＤＩ信号１〜８を多重して多重信号を生成し、多重信号を分離装置２へ送信する。
【００７２】
（移動部／多重装置）
次に、図１に示した多重装置１の移動部１０について詳細に説明する。図２は、その移動部１０の処理を説明する図である。この図は、３２チャンネルの音声信号のうち１系統のＨＤ−ＳＤＩ信号では伝送不可能な第５チャンネル〜第８チャンネルの音声信号であるグループ２，２’の音声パケットを、音声信号が多重されているＨＤ−ＳＤＩ信号１から音声信号が多重されていないＨＤ−ＳＤＩ信号５へ移動する例を示している。
【００７３】
移動部１０が入出力するＨＤ−ＳＤＩ信号について、その補助データ領域（ＨＡＮＣ領域）のサイズは２６８ワードである。そのうち、１４８ワードが後段の削除部１１により削除されるから、多重装置１が送信するＨＤ−ＳＤＩ信号の補助データ領域のサイズは１２０ワードとなる。グループ１，１’，２，２’の音声パケットのサイズは、それぞれ３１ワードである。
【００７４】
移動部１０は、ＨＤ−ＳＤＩ信号１について、グループ２，２’の音声パケットをＨＤ−ＳＤＩ信号５へ移動し、その補助データ領域にグループ１，１’の音声パケットのみを格納した新たなＨＤ−ＳＤＩ信号１を生成する。そして、移動部１０は、ＨＤ−ＳＤＩ信号５について、その補助データ領域にグループ２，２’の音声パケットを格納した新たなＨＤ−ＳＤＩ信号５を生成する。
【００７５】
同様に、移動部１０は、ＨＤ−ＳＤＩ信号２について、グループ２，２’の音声パケットをＨＤ−ＳＤＩ信号６へ移動し、その補助データ領域にグループ１，１’の音声パケットのみを格納した新たなＨＤ−ＳＤＩ信号２を生成する。そして、移動部１０は、ＨＤ−ＳＤＩ信号６について、その補助データ領域にグループ２，２’の音声パケットを格納した新たなＨＤ−ＳＤＩ信号６を生成する。
【００７６】
同様に、移動部１０は、ＨＤ−ＳＤＩ信号３，４についても、グループ２，２’の音声パケットをＨＤ−ＳＤＩ信号７，８へ移動し、補助データ領域にグループ１，１’の音声パケットのみを格納した新たなＨＤ−ＳＤＩ信号３，４、及び補助データ領域にグループ２，２’の音声パケットを格納した新たなＨＤ−ＳＤＩ信号７，８をそれぞれ生成する。
【００７７】
これにより、ＨＤ−ＳＤＩ信号１〜４に３２チャンネルの音声信号（グループ１，１’，２，２’の音声パケット）が多重されている場合に、グループ２，２’のパケットを、音声信号が多重されていないＨＤ−ＳＤＩ信号５〜８へ移動して伝送することができる。
【００７８】
図３は、移動部１０の処理を示すフローチャートであり、図４は、移動部１０の処理による音声信号の振り分け動作を説明する図である。図４に示すように、ＨＤ−ＳＤＩ信号１〜４において、ある特定の１ラインの補助データ領域には、図１５に示したパターン４の音声パケットが格納されているものとする。パターン４では、グループ１，１’，２，２’の４つの音声パケットが、２６８ワードの補助データ領域のうち、３１×４＝１２４ワードの領域に格納されている。図１６に示したとおり、後段の削除部１１により、２６８ワードの補助データ領域のうち一部の領域（１４８ワードの領域）が削除され、補助データ領域は１２０ワードに縮小される。このため、合計１２４ワードの４つの音声パケットを全て伝送することができない。つまり、伝送可能な音声信号のチャンネル数が制限されてしまう。
【００７９】
そこで、移動部１０は、ＨＤ−ＳＤＩ信号１〜８のうちのＨＤ−ＳＤＩ信号１〜４に３２チャンネルの音声信号が多重されている場合、グループ２，２’のパケットを、音声信号が多重されていないＨＤ−ＳＤＩ信号５〜８へ移動する移動規則に従うものとする。グループ２，２’の音声パケットには、後段の削除部１１により補助データ領域の一部が削除されることで伝送不可能な音声信号（音声信号５〜８である４チャンネル分の音声信号）が含まれる。移動部１０は、この移動規則に従い、ＨＤ−ＳＤＩ信号１〜４に含まれるグループ２，２’の２つの音声パケットを、音声信号が多重されていないＨＤ−ＳＤＩ信号５〜８へ移動する。これにより、伝送不可能な音声パケットは存在しないことになり、全ての音声パケットを伝送することができる。
【００８０】
以下、図３を参照して具体的に説明する。移動部１０は、全系統のＨＤ−ＳＤＩ信号１〜８（音声信号（グループ１，１’，２，２’の音声パケット）が多重されたＨＤ−ＳＤＩ信号１〜４及び音声信号が多重されていないＨＤ−ＳＤＩ信号５〜８）を入力する（ステップＳ３０１）。
【００８１】
移動部１０は、ＨＤ−ＳＤＩ信号１〜４の各系統について、その補助データ領域から音声パケットを抽出する（ステップＳ３０２）。音声パケットには、音声パケットであることを示す識別子、及び、グループ（１）またはグループ（２）のグループを識別するための識別子（ＤＩＤ）が付加されている。前者の識別子に基づいて、音声パケットが特定され、後者の識別子（ＤＩＤ）に基づいて、音声パケットのグループが判別される。
【００８２】
移動部１０は、音声パケットに含まれる識別子（ＤＩＤ）に基づいて、音声パケットのグループを判別する（ステップＳ３０３）。これにより、音声パケット毎に、音声パケットがグループ（１）であるか、またはグループ（２）であるかが判別される。
【００８３】
移動部１０は、ステップＳ３０３にてグループ（２）の音声パケットであると判別した音声パケットを、音声信号が多重されていない対応するＨＤ−ＳＤＩ信号５〜８の系統へ移動し、その系統のＨＤ−ＳＤＩ信号５〜８の補助データ領域に、グループ（２）の音声パケットのみを多重する（ステップＳ３０４）。具体的には、移動部１０は、図２に示したＨＤ−ＳＤＩ信号５のように、補助データ領域について、ＨＤ−ＳＤＩ信号１から移動してきたグループ２，２’の音声パケットを先頭から順番に詰めることで、隣り合って連続するように、グループ２，２’の音声パケットを格納する。これにより、対応するＨＤ−ＳＤＩ信号５〜８の系統に、グループ（２）の音声信号が多重され、グループ（２）の音声パケットが多重されたＨＤ−ＳＤＩ信号５〜８が生成される。
【００８４】
移動部１０は、ＨＤ−ＳＤＩ信号１〜４の補助データ領域について、グループ（１）の音声パケットのみを残し、グループ（２）の音声パケットを削除し（ヌルデータを格納し）、グループ（１）のみの音声パケットを詰める（ステップＳ３０５）。具体的には、移動部１０は、図２に示したＨＤ−ＳＤＩ信号１のように、補助データ領域内の全ての音声パケットを削除し（ヌルデータを格納し）、抽出したグループ１，１’の音声パケットのみを先頭から順番に詰めることで、隣り合って連続するように並べて補助データ領域に格納する。これにより、グループ（１）の音声パケットが多重されたＨＤ−ＳＤＩ信号１〜４が生成される。
【００８５】
移動部１０は、グループ（１）の音声パケットが多重されたＨＤ−ＳＤＩ信号１〜４を削除部１１に出力する（ステップＳ３０６）。ステップＳ３０５及びステップＳ３０６の処理は、図４に示すように、ＨＤ−ＳＤＩ信号１〜４の系統について行われる。
【００８６】
移動部１０は、グループ（２）の音声パケットが多重されたＨＤ−ＳＤＩ信号５〜８を削除部１１に出力する（ステップＳ３０７）。ステップＳ３０４の移動処理は、ＨＤ−ＳＤＩ信号１〜４の系統について行われ、ステップＳ３０４の多重処理及びステップＳ３０７の処理は、図４に示すように、ＨＤ−ＳＤＩ信号５〜８の系統について行われる。
【００８７】
図１５を参照して、パターン１の場合を想定する。パターン１は、ＨＤ−ＳＤＩ信号の補助データ領域に、グループ１の音声パケット及びグループ２の音声パケットが格納されている。移動部１０は、当該系統のＨＤ−ＳＤＩ信号について、グループ２の音声パケットを、音声信号が多重されていない系統へ移動し、グループ１の音声パケットを残す。そして、移動部１０は、音声信号が多重されていない系統のＨＤ−ＳＤＩ信号について、その補助データ領域に、移動してきたグループ２の音声パケットを格納する。これにより、グループ１の音声パケットが格納されたＨＤ−ＳＤＩ信号、及びグループ２の音声パケットが格納されたＨＤ−ＳＤＩ信号が生成される。
【００８８】
パターン２の場合を想定する。パターン２は、ＨＤ−ＳＤＩ信号の補助データ領域に、グループ１の音声パケット、グループ２の音声パケット及びグループ１’の音声パケットが格納されている。移動部１０は、当該系統のＨＤ−ＳＤＩ信号について、グループ２の音声パケットを、音声信号が多重されていない系統へ移動し、グループ１，１’の音声パケットが隣り合うように、グループ１’の音声パケットをグループ１の音声パケット側へ詰めて、グループ１，１’の音声パケットを残す。そして、移動部１０は、音声信号が多重されていない系統のＨＤ−ＳＤＩ信号について、その補助データ領域に、移動してきたグループ２の音声パケットを格納する。これにより、グループ１，１’の音声パケットが格納されたＨＤ−ＳＤＩ信号、及びグループ２の音声パケットが格納されたＨＤ−ＳＤＩ信号が生成される。
【００８９】
パターン３の場合を想定する。パターン３は、ＨＤ−ＳＤＩ信号の補助データ領域に、グループ１の音声パケット、グループ２の音声パケット及びグループ２’の音声パケットが格納されている。移動部１０は、当該系統のＨＤ−ＳＤＩ信号について、グループ２，２’の音声パケットを、音声信号が多重されていない系統へ移動し、グループ１の音声パケットを残す。そして、移動部１０は、音声信号が多重されていない系統のＨＤ−ＳＤＩ信号について、その補助データ領域に、移動してきたグループ２，２’の音声パケットを格納する。これにより、グループ１の音声パケットが格納されたＨＤ−ＳＤＩ信号、及びグループ２，２’の音声パケットが格納されたＨＤ−ＳＤＩ信号が生成される。
【００９０】
パターン４の場合を想定する。パターン４は、ＨＤ−ＳＤＩ信号の補助データ領域に、グループ１の音声パケット、グループ２の音声パケット、グループ１’の音声パケット及びグループ２’の音声パケットが格納されている。移動部１０は、当該系統のＨＤ−ＳＤＩ信号について、グループ２，２’の音声パケットを、音声信号が多重されていない系統へ移動し、グループ１，１’の音声パケットが隣り合うように、グループ１’の音声パケットをグループ１の音声パケット側へ詰めて、グループ１，１’の音声パケットを残す。そして、移動部１０は、音声信号が多重されていない系統のＨＤ−ＳＤＩ信号について、その補助データ領域に、移動してきたグループ２，２’の音声パケットを格納する。これにより、図２に示したとおり、グループ１，１’の音声パケットが格納されたＨＤ−ＳＤＩ信号、及びグループ２，２’の音声パケットが格納されたＨＤ−ＳＤＩ信号が生成される。
【００９１】
以上のように、本発明の実施形態による多重装置１によれば、移動部１０は、グループ（１）（２）の音声信号が多重されたＨＤ−ＳＤＩ信号１〜４及び音声信号が多重されていないＨＤ−ＳＤＩ信号５〜８を入力し、所定の移動規則に従って、ＨＤ−ＳＤＩ信号１〜４から一部の音声信号を分離することで、補助データ領域からグループ（２）の音声パケットを抽出し、グループ（２）の音声パケットを、音声信号が多重されていないＨＤ−ＳＤＩ信号５〜８へ移動するようにした。そして、移動部１０は、グループ（１）の音声パケットのみが多重されたＨＤ−ＳＤＩ信号１〜４及びグループ（２）の音声パケットのみが多重されたＨＤ−ＳＤＩ信号５〜８を生成する。
【００９２】
削除部１１は、移動部１０によりグループ（１）の音声パケットのみが多重されたＨＤ−ＳＤＩ信号１〜４及びグループ（２）の音声パケットのみが多重されたＨＤ−ＳＤＩ信号５〜８について、補助データ領域内の所定領域（音声信号が多重されていない領域）を削除するようにした。そして、多重部１２は、削除部１１により補助データ領域内の所定領域が削除されたＨＤ−ＳＤＩ信号１〜８を多重して多重信号を生成し、多重信号を後述の分離装置２へ送信するようにした。
【００９３】
このように、多重装置１に備えた出力Ｉ／Ｆに使用する部品につき上限ビットレートの制限等により多重信号のビットレートが制限されることに対応するため、削除部１１により、ＨＤ−ＳＤＩ信号１〜８に含まれる補助データ領域内の所定領域が削除される。この場合、１系統のＨＤ−ＳＤＩ信号では音声信号のチャンネル数が制限されるが、移動部１０は、音声信号が多重されたＨＤ−ＳＤＩ信号１〜４の音声信号の一部を、音声信号が多重されていないＨＤ−ＳＤＩ信号５〜８へ移動するようにした。これにより、音声信号のチャンネル数は制限されることがなく、多重対象の全ての音声信号を伝送することができる。
【００９４】
また、多重対象の全ての音声信号を伝送するために、図１７に示した伝送システムのとおり、従来技術では、全ての系統（８系統）に音声多重装置１１３及び音声分離装置１１４を設ける必要があり、図１２に示した伝送システムに比べて２倍の装置が必要であった。これに対し、本発明の実施形態では、図１２に示した従来技術と同様に、４系統のみに音声多重装置１１１及び音声分離装置１１２を設ければよいから、その台数を増やす必要がなく、コストを抑えることができる。
【００９５】
〔受信側の分離システム〕
次に、受信側の分離システムについて説明する。図５は、本発明の実施形態による分離装置を含む受信側の分離システムの構成を示すブロック図である。この分離システムは、分離装置２及び４台の音声分離装置１１２−１〜１１２−４を備えて構成され、ＨＤ−ＳＤＩ信号１〜８から３２チャンネルの音声信号を分離する。
【００９６】
分離装置２は、分離部２０、復元部２１及び移動部２２を備えている。分離部２０は、多重装置１により送信された多重信号を受信し、多重信号からＨＤ−ＳＤＩ信号１〜８を分離する。そして、分離部２０は、ＨＤ−ＳＤＩ信号１〜８を復元部２１に出力する。
【００９７】
復元部２１は、分離部２０からＨＤ−ＳＤＩ信号１〜８を入力し、ＨＤ−ＳＤＩ信号１〜８の補助データ領域内の所定領域を復元し、所定領域が復元したＨＤ−ＳＤＩ信号１〜８を生成して移動部２２に出力する。図２に示した例では、復元部２１は、ＨＤ−ＳＤＩ信号１〜８における１２０ワードの補助データ領域に、多重装置１の削除部１１により削除された１４８ワードの領域を追加挿入（１４８ワードのヌルデータを追加挿入）する。
【００９８】
移動部２２は、復元部２１からＨＤ−ＳＤＩ信号１〜８を入力し、所定の移動規則に従って、元々は音声信号が多重されておらず多重装置１の移動処理にて音声信号が多重されたＨＤ−ＳＤＩ信号５〜８から音声信号を抽出し、抽出した音声信号を、元々は音声信号が多重されており多重装置１にて音声信号の一部が抽出されたＨＤ−ＳＤＩ信号１〜４へ移動する。そして、移動部２２は、ＨＤ−ＳＤＩ信号１〜４について、ＨＤ−ＳＤＩ信号１〜４に格納された音声信号及び移動してきた音声信号を元の順番に並び替える。そして、移動部２２は、多重装置１の移動部１０が入力するＨＤ−ＳＤＩ信号１〜８の補助データ領域と同じデータ構造になるように、音声信号が多重されたＨＤ−ＳＤＩ信号１〜４、及び音声信号が多重されていないＨＤ−ＳＤＩ信号５〜８を生成して出力する。
【００９９】
音声分離装置１１２−１〜１１２−４は、８系統のＨＤ−ＳＤＩ信号のうち、第１系統〜第４系統にそれぞれ設けられている。音声分離装置１１２−１〜１１２−４は、図１２及び図１３にて説明したとおり、分離装置２からＨＤ−ＳＤＩ信号１〜４をそれぞれ入力し、ＨＤ−ＳＤＩ信号１〜４の補助データ領域から音声信号の音声パケットを抽出することで、ＨＤ−ＳＤＩ信号から音声信号を分離する。
【０１００】
尚、音声分離装置１１２−１〜１１２−４は、図１２及び図１３にて既に説明済みであるから、ここでは詳細な説明を省略する。
【０１０１】
（移動部／分離装置）
次に、図５に示した分離装置２の移動部２２について詳細に説明する。図６は、移動部２２の処理を示すフローチャートであり、図７は、移動部２２の処理による音声信号の復元動作を説明する図であり、図４に示した多重装置１の移動部１０の処理による音声信号の振り分け動作に対応している。
【０１０２】
多重装置１の移動部１０では、ＨＤ−ＳＤＩ信号の補助データ領域の一部が削除されることに伴って伝送不可能なグループ２，２’の音声パケット（音声信号５〜８の音声パケット）を、音声信号が多重されていないＨＤ−ＳＤＩ信号５〜８へ移動する。分離装置２の移動部２２は、多重装置１の移動部１０に対して逆の処理を行う。つまり、移動部２２は、移動部１０が用いた移動規則に対して逆の移動規則に従って、音声パケットを元の系統へ移動しＨＤ−ＳＤＩ信号を元の状態に復元する。
【０１０３】
以下、図６を参照して具体的に説明する。移動部２２は、復元部２１から、グループ（１）の音声パケットが多重されたＨＤ−ＳＤＩ信号１〜４及びグループ（２）の音声パケットが多重されたＨＤ−ＳＤＩ信号５〜８を入力する（ステップＳ６０１）。
【０１０４】
移動部２２は、ＨＤ−ＳＤＩ信号５〜８からグループ（２）の音声パケットを抽出し（ステップＳ６０２）、抽出したグループ（２）の音声パケットを元の系統であるＨＤ−ＳＤＩ信号１〜４へ移動する（ステップＳ６０３）。
【０１０５】
移動部２２は、元の系統であるＨＤ−ＳＤＩ信号１〜４について、そのＨＤ−ＳＤＩ信号１〜４の補助データ領域に格納されたグループ（１）の音声パケットを抽出し、グループ（１）の音声パケット及び移動してきたグループ（２）の音声パケットを元の順番に並び替え、並び替えた後のグループ（１）（２）の音声パケットを補助データ領域に格納する（ステップＳ６０４）。これにより、ＨＤ−ＳＤＩ信号１〜４の補助データ領域は、元の順番のグループ（１）（２）の音声パケットが格納された状態となり、グループ（１）（２）の音声信号が多重されたＨＤ−ＳＤＩ信号１〜４が生成される。
【０１０６】
移動部２２は、ＨＤ−ＳＤＩ信号５〜８の補助データ領域に格納されたグループ（２）の音声パケットを削除し、その領域にヌルデータを格納する。これにより、音声信号が多重されていないＨＤ−ＳＤＩ信号５〜８が生成される。
【０１０７】
移動部２２は、音声信号が多重されたＨＤ−ＳＤＩ信号１〜４を音声分離装置１１２−１〜１１２−４に出力し、音声信号が多重されていないＨＤ−ＳＤＩ信号５〜８を出力する（ステップＳ６０５）。
【０１０８】
図１５に示したパターン１の場合を想定する。移動部２２は、グループ１の音声パケットが多重されたＨＤ−ＳＤＩ信号１〜４及びグループ２の音声パケットが多重されたＨＤ−ＳＤＩ信号５〜８を入力し、ＨＤ−ＳＤＩ信号５〜８からグループ２の音声パケットを抽出してＨＤ−ＳＤＩ信号１〜４へそれぞれ移動する。そして、移動部２２は、ＨＤ−ＳＤＩ信号１〜４について、その補助データ領域に格納されたグループ１の音声パケット、及び移動してきたグループ２の音声パケットを、元のグループ１，２の順番に並べる。また、移動部２２は、ＨＤ−ＳＤＩ信号５〜８について、補助データ領域に格納されたグループ２の音声パケットの領域にヌルデータを格納する。これにより、グループ１，２の音声信号が多重されたＨＤ−ＳＤＩ信号１〜４、及び、音声信号が多重されていないＨＤ−ＳＤＩ信号５〜８が生成され、元のＨＤ−ＳＤＩ信号１〜８が復元される。
【０１０９】
パターン２の場合を想定する。移動部２２は、グループ１，１’の音声パケットが多重されたＨＤ−ＳＤＩ信号１〜４及びグループ２の音声パケットが多重されたＨＤ−ＳＤＩ信号５〜８を入力し、ＨＤ−ＳＤＩ信号５〜８からグループ２の音声パケットを抽出してＨＤ−ＳＤＩ信号１〜４へそれぞれ移動する。そして、移動部２２は、ＨＤ−ＳＤＩ信号１〜４について、その補助データ領域に格納されたグループ１，１’の音声パケット、及び移動してきたグループ２の音声パケットを、元のグループ１，２，１’の順番に並び替える。また、移動部２２は、ＨＤ−ＳＤＩ信号５〜８について、補助データ領域に格納されたグループ２の音声パケットの領域にヌルデータを格納する。これにより、グループ１，２，１’の音声信号が多重されたＨＤ−ＳＤＩ信号１〜４、及び、音声信号が多重されていないＨＤ−ＳＤＩ信号５〜８が生成され、元のＨＤ−ＳＤＩ信号１〜８が復元される。
【０１１０】
パターン３の場合を想定する。移動部２２は、グループ１の音声パケットが多重されたＨＤ−ＳＤＩ信号１〜４及びグループ２，２’の音声パケットが多重されたＨＤ−ＳＤＩ信号５〜８を入力し、ＨＤ−ＳＤＩ信号５〜８からグループ２，２’の音声パケットを抽出してＨＤ−ＳＤＩ信号１〜４へそれぞれ移動する。そして、移動部２２は、ＨＤ−ＳＤＩ信号１〜４について、その補助データ領域に格納されたグループ１の音声パケット、及び移動してきたグループ２，２’の音声パケットを、元のグループ１，２，２’の順番に並び替える。また、移動部２２は、ＨＤ−ＳＤＩ信号５〜８について、補助データ領域に格納されたグループ２，２’の音声パケットの領域にヌルデータを格納する。これにより、グループ１，２，２’の音声信号が多重されたＨＤ−ＳＤＩ信号１〜４、及び、音声信号が多重されていないＨＤ−ＳＤＩ信号５〜８が生成され、元のＨＤ−ＳＤＩ信号１〜８が復元される。
【０１１１】
パターン４の場合を想定する。移動部２２は、グループ１，１’の音声パケットが多重されたＨＤ−ＳＤＩ信号１〜４及びグループ２，２’の音声パケットが多重されたＨＤ−ＳＤＩ信号５〜８を入力し、ＨＤ−ＳＤＩ信号５〜８からグループ２，２’の音声パケットを抽出してＨＤ−ＳＤＩ信号１〜４へそれぞれ移動する。そして、移動部２２は、ＨＤ−ＳＤＩ信号１〜４について、その補助データ領域に格納されたグループ１，１’の音声パケット、及び移動してきたグループ２，２’の音声パケットを、元のグループ１，２，１’，２’の順番に並び替える。また、移動部２２は、ＨＤ−ＳＤＩ信号５〜８について、補助データ領域に格納されたグループ２，２’の音声パケットの領域にヌルデータを格納する。これにより、グループ１，２，１’，２’の音声信号が多重されたＨＤ−ＳＤＩ信号１〜４、及び、音声信号が多重されていないＨＤ−ＳＤＩ信号５〜８が生成され、元のＨＤ−ＳＤＩ信号１〜８が復元される。
【０１１２】
以上のように、本発明の実施形態による分離装置２によれば、分離部２０は、多重装置１により送信された多重信号を受信し、多重信号からＨＤ−ＳＤＩ信号１〜８を分離し、復元部２１は、ＨＤ−ＳＤＩ信号１〜８について、補助データ領域内の所定領域を復元するようにした。
【０１１３】
移動部２２は、ＨＤ−ＳＤＩ信号１〜８（グループ（１）の音声パケットのみが多重されたＨＤ−ＳＤＩ信号１〜４及びグループ（２）の音声パケットのみが多重されたＨＤ−ＳＤＩ信号５〜８）について、所定の移動規則（多重装置１の移動部１０が用いた移動規則とは逆の移動規則）に従って、ＨＤ−ＳＤＩ信号５〜８からグループ（２）の音声パケットを抽出し、グループ（２）の音声パケットを、元のＨＤ−ＳＤＩ信号１〜４へ移動するようにした。そして、移動部２２は、ＨＤ−ＳＤＩ信号１〜４に格納されたグループ（１）の音声パケット、及び移動してきたグループ（２）の音声パケットを元の順番に並び替える。そして、移動部２２は、多重装置１の移動部１０が入力するＨＤ−ＳＤＩ信号１〜８の補助データ領域と同じデータ構造になるように、音声信号が多重されたＨＤ−ＳＤＩ信号１〜４、及び音声信号が多重されていないＨＤ−ＳＤＩ信号５〜８を生成して出力する。
【０１１４】
これにより、音声信号のチャンネル数が制限されることなく、多重対象の全ての音声信号を受信して復元することができる。また、４系統のみに音声多重装置１１１及び音声分離装置１１２を設ければよいから、音声多重装置１１１及び音声分離装置１１２の台数を増やす必要がなく、コストを抑えることができる。
【０１１５】
前記本発明の実施形態では、ＨＤ−ＳＤＩ信号１〜８について、２６８ワードの補助データ領域を１２０ワードの補助データ領域に削減する例を挙げて説明した。多重装置１から分離装置２へ送信されるＨＤ−ＳＤＩ信号１〜８の補助データ領域のサイズは１２０ワードであり、このうちの５７ワードの領域を用いて誤り訂正符号を伝送する仕組みの開発が進められている。この場合、音声信号を多重可能な補助データ領域のサイズは、６３ワードにさらに縮小される。本発明の実施形態では、２つの音声パケットを伝送可能な３１×２＝６２ワードの領域が確保されればよいから、この場合も音声信号を多重することができる。つまり、本発明の実施形態では、ＨＤ−ＳＤＩ信号の補助データ領域を用いて、音声信号に加え、誤り訂正符号も伝送することができる。
【０１１６】
〔ＤＧ方式のＳＨＶ信号を伝送する伝送システム〕
次に、図１〜図７に示した伝送システムを、前述の非特許文献２に記載の伝送システムに適用した例について説明する。図８は、非特許文献２に記載の伝送システムである、ＤＧ方式のＳＨＶ信号を伝送する伝送システムの全体構成を示す概略図である。この伝送システムは、多重装置３−１，３−２及び分離装置４−１，４−２を備えて構成され、１６本のＨＤ−ＳＤＩ信号で構成されるＤＧ方式のＳＨＶ信号について、８本のＨＤ−ＳＤＩ信号をそれぞれ多重した２本の多重信号を伝送する。多重装置３−１により生成される多重信号は、伝送路１０３を介して分離装置４−１へ送信され、多重装置３−２により生成される多重信号は、伝送路１０３を介して分離装置４−２へ送信される。
【０１１７】
図９は、図８に示した伝送システムにおいて、複数の音声信号を多重してＤＧ方式のＳＨＶ信号を伝送する伝送システムの全体構成を示す概略図である。この伝送システムは、４台の音声多重装置１１１−１〜１１１−４、２台の多重装置３−１，３−２、２台の分離装置４−１，４−２及び４台の音声分離装置１１２−１〜１１２−４を備えて構成される。音声信号は、ＨＤ−ＳＤＩ信号１〜４の補助データ領域に多重されて伝送される。図９に示すように、合計３２チャンネルの音声信号が４系統のＨＤ−ＳＤＩ信号１〜４の補助データ領域に多重される。つまり、８チャンネルの音声信号が１系統のＨＤ−ＳＤＩ信号１〜４のそれぞれに多重される。
【０１１８】
音声多重装置１１１−１〜１１１−４及び音声分離装置１１２−１〜１１２−４は、前述のとおりであるから、説明を省略する。また、多重装置３−１は、図１に示した多重装置１と同様であり、分離装置４−１は、図５に示した分離装置２と同様であるから、説明を省略する。
【０１１９】
多重装置３−２は、図１に示した多重装置１の移動部１０、削除部１１及び多重部１２のうち、削除部１１及び多重部１２のみを備えている。多重装置３−２の削除部１１は、ＨＤ−ＳＤＩ信号９〜１６を入力して補助データ領域内の所定領域を削除する。多重部１２は、削除部１１からＨＤ−ＳＤＩ信号９〜１６を入力し、これらを多重して多重信号を生成し、多重信号を分離装置４−２へ送信する
【０１２０】
分離装置４−２は、図５に示した分離装置２の分離部２０、復元部２１及び移動部２２のうち、分離部２０及び復元部２１のみを備えている。分離装置４−２の分離部２０は、多重装置３−２により送信された多重信号を受信してＨＤ−ＳＤＩ信号９〜１６を分離する。復元部２１は、分離部２０からＨＤ−ＳＤＩ信号９〜１６を入力し、これらの補助データ領域内の所定領域を復元する。
【０１２１】
以上のように、図８及び図９に示した、ＤＧ方式のＳＨＶ信号を伝送する伝送システムによれば、本発明の実施形態による多重装置１及び分離装置２と同様の効果を奏する。
【０１２２】
尚、本発明の実施形態は、高精細映像及び高品質な音声信号を有線伝送または無線伝送する場合に有用である。
【０１２３】
以上、実施形態を挙げて本発明を説明したが、本発明は前記実施形態に限定されるものではなく、その技術思想を逸脱しない範囲で種々変形可能である。前記実施形態において、音声信号はＡＥＳ音声の信号だけでなく、圧縮された音声信号等の他の音声信号にも適用がある。
【０１２４】
また、前記実施形態では、ＨＤ−ＳＤＩ信号１〜８のうち、ＨＤ−ＳＤＩ信号１〜４にグループ（１）（２）の音声信号が多重されており、ＨＤ−ＳＤＩ信号５〜８には音声信号が多重されていない場合に、多重装置１の移動部１０は、ＨＤ−ＳＤＩ信号１のグループ（２）の音声信号をＨＤ−ＳＤＩ信号５へ移動し、ＨＤ−ＳＤＩ信号２〜４のグループ（２）の音声信号をＨＤ−ＳＤＩ信号６〜８へそれぞれ移動する移動規則に従うようにした。これに対し、移動部１０は、ＨＤ−ＳＤＩ信号１〜４からＨＤ−ＳＤＩ信号５，７，６，８へそれぞれ移動したり、ＨＤ−ＳＤＩ信号１〜４からＨＤ−ＳＤＩ信号８，７，６，５へそれぞれ移動したり等、移動元の系統及び移動先の系統について異なる組み合わせとする移動規則に従うようにしてもよい。
【０１２５】
また、移動部１０は、ＨＤ−ＳＤＩ信号１〜４から抽出したグループ（２）（グループ２，２’）の音声信号をＨＤ−ＳＤＩ信号５〜８へ移動する移動規則ではなく、グループ１’，２’の音声信号をＨＤ−ＳＤＩ信号５〜８へ移動する移動規則に従うようにしてもよい。この場合、移動部１０は、グループ１，１’の音声信号が多重されたＨＤ−ＳＤＩ信号１〜４、及びグループ２，２’が多重されたＨＤ−ＳＤＩ信号５〜８を生成する代わりに、グループ１，２の音声信号が多重されたＨＤ−ＳＤＩ信号１〜４、及びグループ１’，２’が多重されたＨＤ−ＳＤＩ信号５〜８を生成する。
【０１２６】
また、移動部１０は、図１５に示したパターン１のＨＤ−ＳＤＩ信号については移動を行わず、パターン２〜４のＨＤ−ＳＤＩ信号について、グループ（２）等の音声信号を音声信号が多重されていないＨＤ−ＳＤＩ信号へ移動する移動規則に従うようにしてもよい。
【０１２７】
また、移動部１０は、図１５に示したパターン１〜３のＨＤ−ＳＤＩ信号については移動を行わず、パターン４のＨＤ−ＳＤＩ信号について、グループ２’の音声信号を、音声信号が多重されていないＨＤ−ＳＤＩ信号へ移動する移動規則に従うようにしてもよい。
【０１２８】
また、例えば、多重装置１の削除部１１により補助データ領域が６０ワードに削減される場合には、１系統のＨＤ−ＳＤＩ信号にて、１つの音声パケットしか伝送することができない。このような制限があり、多重装置１が入力する複数のＨＤ−ＳＤＩ信号のうち、音声信号が多重されていないＨＤ−ＳＤＩ信号が多数存在する場合、例えば図８及び図９に示したように、音声信号が多重されたＨＤ−ＳＤＩ信号が４系統存在し、音声信号が多重されていないＨＤ−ＳＤＩ信号が１２系統存在する場合には、音声信号が多重されていないＨＤ−ＳＤＩ信号の全ての系統を利用する。
【０１２９】
具体的には、移動部１０は、ＨＤ−ＳＤＩ信号１に多重された音声信号の移動先をＨＤ−ＳＤＩ信号５〜７とし、ＨＤ−ＳＤＩ信号２〜４に多重された音声信号の移動先をそれぞれＨＤ−ＳＤＩ信号８〜１０，１１〜１３，１４〜１６とし、ＨＤ−ＳＤＩ信号１〜４について、グループ１の音声信号のみを残し、グループ１’ の音声信号をそれぞれＨＤ−ＳＤＩ信号５，８，１１，１４へ移動し、グループ２の音声信号をそれぞれＨＤ−ＳＤＩ信号６，９，１２，１５へ移動し、グループ２’ の音声信号をそれぞれＨＤ−ＳＤＩ信号７，１０，１３，１６へ移動する移動規則に従うようにしてもよい。移動部１０は、グループ１の音声信号が多重されたＨＤ−ＳＤＩ信号１〜４、グループ１’が多重されたＨＤ−ＳＤＩ信号５，８，１１，１４、グループ２の音声信号が多重されたＨＤ−ＳＤＩ信号６，９，１２，１５、及びグループ２’の音声信号が多重されたＨＤ−ＳＤＩ信号７，１０，１３，１６を生成する。これは、ＨＤ−ＳＤＩ信号について、２６８ワードの補助データ領域を、３２ワードから２６７ワードまでのいずれかのサイズの補助データ領域に削減する場合に適用がある。
【０１３０】
これらの場合はいずれも、分離装置２の移動部２２は、多重装置１の移動部１０が用いる移動規則とは逆の移動規則を用いる。多重装置１の移動部１０が用いる移動規則は、音声信号が多重された系統の音声信号の一部（多重装置１の削除部１１により補助データ領域の一部が削除されることにより、伝送不可能となる音声信号）を、音声信号が多重されていない系統へ移動する規則が定義されていればよい。
【０１３１】
また、前記実施形態では、ＨＤ−ＳＤＩ信号について、２６８ワードの補助データ領域を１２０ワードの補助データ領域に削減する例を挙げて説明したが、６２ワード以上１２３ワード以下の補助データ領域に削減する場合についても適用があり、１２４ワード以上２６７ワード以下の補助データ領域に削減する場合についても適用がある。要するに、削減後の補助データ領域のサイズは、３１ワードの音声パケットを少なくとも２つまたは３つ伝送可能なサイズであればよい。
【０１３２】
また、前記実施形態において、図１に示した多重装置１の移動部１０、削除部１１及び多重部１２の各構成部の処理は、多重装置１に搭載される集積回路であるＬＳＩのチップにより実現されるようにしてもよい。これらは、個別に１チップ化されていてもよいし、これらの一部または全部が１チップ化されていてもよい。
【０１３３】
また、ＬＳＩの代わりに、集積度の異なるＶＬＳＩ、ＵＬＳＩ等のチップにより実現されるようにしてもよい。さらに、ＬＳＩ等のチップに限るものではなく、専用回路または汎用プロセッサを用いるようにしてもよいし、ＦＰＧＡ（Field Programmable Gate Array）を用いるようにしてもよい。図５に示した分離装置２の分離部２０、復元部２１及び移動部２２の各構成部の処理についても同様であり、分離装置２に搭載されるチップにより実現される。
【符号の説明】
【０１３４】
１，３，１０１  多重装置
２，４，１０２  分離装置
１０３  伝送路
１１１，１１３  音声多重装置
１１２，１１４  音声分離装置
１０，２２  移動部
１１  削除部
１２  多重部
２０  分離部
２１  復元部
【図１】
2016165037.tif 000003
【図２】
2016165037.tif 000004
【図３】
2016165037.tif 000005
【図４】
2016165037.tif 000006
【図５】
2016165037.tif 000007
【図６】
2016165037.tif 000008
【図７】
2016165037.tif 000009
【図８】
2016165037.tif 000010
【図９】
2016165037.tif 000011
【図１０】
2016165037.tif 000012
【図１１】
2016165037.tif 000013
【図１２】
2016165037.tif 000014
【図１３】
2016165037.tif 000015
【図１４】
2016165037.tif 000016
【図１５】
2016165037.tif 000017
【図１６】
2016165037.tif 000018
【図１７】
2016165037.tif 000019